(57)【要約】【課題】  複数枚の原稿を印刷する際に現在原稿の何ページ目が印刷されているかを認識することができる画像形成装置を提供する。【解決手段】  原稿読取部４は、複数の原稿を読み取り、画像メモリ２は、原稿読取部４によって読み取られた複数の原稿画像を記憶し、印刷処理部６は、画像メモリ２に記憶されている複数の原稿画像を記録紙に印刷し、表示制御部１０２は、印刷処理部６によって印刷される複数の原稿画像のうち、現在印刷されている原稿画像が何ページ目であるかを視認可能に表示する。【選択図】      図１
2006109347.tif 000002
【特許請求の範囲】
【請求項１】
複数の原稿を読み取る読取手段と、
前記読取手段によって読み取られた複数の原稿画像を記憶する記憶手段と、
前記記憶手段に記憶されている複数の原稿画像を記録紙に印刷する印刷処理手段と、
前記印刷処理手段によって印刷される複数の原稿画像のうち、現在印刷されている原稿画像が何頁目であるかを視認可能に表示する表示手段とを備えることを特徴とする画像形成装置。
【請求項２】
前記表示手段は、前記記憶手段に記憶されている複数の原稿画像の各頁を表示し、前記印刷処理手段によって現在印刷されている頁の原稿画像を他の頁の原稿画像とは異なる態様で表示することを特徴とする請求項１記載の画像形成装置。
【請求項３】
前記表示手段は、現在印刷されている頁の原稿画像の明度を他の頁の原稿画像の明度よりも高くして表示する、現在印刷されている頁の原稿画像を他の頁の原稿画像よりも拡大して表示する、現在印刷されている頁の原稿画像を他の頁の原稿画像と反転させて表示する、現在印刷されている頁の原稿画像の表示位置を他の頁の原稿画像の表示位置とは異なる位置に表示する、又は現在印刷されている頁の原稿画像を縁取りして表示することを特徴とする請求項２記載の画像形成装置。
【請求項４】
前記記憶手段に記憶された複数の原稿画像をカラーで印刷するカラーモードと、前記記憶手段に記憶された複数の原稿画像をモノクロで印刷するモノクロモードとに切り替えるモード切替手段をさらに備え、
前記モード切替手段によってカラーモードに切り替えられている場合、前記印刷処理手段は、前記記憶手段に記憶された複数の原稿画像をカラーで印刷し、前記表示手段は、前記記憶手段に記憶されている複数の原稿画像の各頁を表示し、前記印刷処理手段によって現在印刷されている頁の原稿画像をカラーで表示し、
前記モード切替手段によってモノクロモードに切り替えられている場合、前記印刷処理手段は、前記記憶手段に記憶された複数の原稿画像をモノクロで印刷し、前記表示手段は、前記記憶手段に記憶されている複数の原稿画像の各頁を表示し、前記印刷処理手段によって現在印刷されている頁の原稿画像をモノクロで表示することを特徴とする請求項２記載の画像形成装置。
【請求項５】
前記表示手段の表示画面上に表示する原稿画像の所定の範囲を設定する範囲設定手段をさらに備え、
前記表示手段は、前記記憶手段に記憶されている各原稿画像のうち前記範囲設定手段によって設定された所定の範囲の画像のみを表示し、前記印刷処理手段によって現在印刷されている頁の所定の範囲の画像を他の頁の所定の範囲の画像とは異なる態様で表示することを特徴とする請求項２記載の画像形成装置。
【請求項６】
前記表示手段は、前記記憶手段に記憶されている複数の原稿画像を所定の頁数単位でグループ化した原稿群画像を表示し、前記印刷処理手段によって現在印刷されている頁の原稿画像を含む前記原稿群画像の各頁の原稿画像を表示し、前記印刷処理手段によって現在印刷されている頁の原稿画像を他の頁の原稿画像とは異なる態様で表示することを特徴とする請求項２記載の画像形成装置。
【発明の詳細な説明】
【技術分野】
【０００１】
本発明は、複数の原稿を読み取り、読み取った複数の原稿画像を記録紙に印刷する画像形成装置に関するものである。
【背景技術】
【０００２】
従来より、コピー機や複合機などの画像形成装置において、原稿を複数部数印刷する際に、何部目を印刷しているかを表示画面上に１／１０、２／１０、・・・、１０／１０といった表示をさせることが一般的に行われている。
【０００３】
しかし複数ページからなる原稿のコピーにおいて、現在何ページ目を印刷しているかは表示されず、何ページまで印刷動作が進んだかを知るためには、出力中のページをユーザが確認しなければならないといった問題があった。
【０００４】
これを解決するために、プリンタからホストコンピュータに対し現在何ページ目の印刷をしているかを示す識別番号を通知し、何ページ目を印刷中であるかをユーザに知らせるプリンタ制御方法（例えば、特許文献１参照）や、原稿読取装置で読み取った原稿の画像を表示装置に表示させ、送信時に１ページ単位で表示装置に表示するファクシミリ装置の表示方法（例えば、特許文献２参照）などが提案されている。
【特許文献１】特開平９−６５５０号公報
【特許文献１】特開平４−１２３６７１号公報
【発明の開示】
【発明が解決しようとする課題】
【０００５】
しかしながら、上記特許文献１ではページの識別番号をホストコンピュータに通知することで何ページ目を処理しているかがわかるものの、ホストコンピュータを介してしかその情報を知ることができず不便であった。また、上記特許文献２では現在処理中のページがわかるものの、表示が１ページ単位であるために、現在何ページ目を処理しているかを知ることはできないという問題があった。
【０００６】
本発明は、上記の問題を解決するためになされたもので、複数枚の原稿を印刷する際に現在原稿の何ページ目が印刷されているかを認識することができる画像形成装置を提供することを目的とするものである。
【課題を解決するための手段】
【０００７】
本発明に係る画像形成装置は、複数の原稿を読み取る読取手段と、前記読取手段によって読み取られた複数の原稿画像を記憶する記憶手段と、前記記憶手段に記憶されている複数の原稿画像を記録紙に印刷する印刷処理手段と、前記印刷処理手段によって印刷される複数の原稿画像のうち、現在印刷されている原稿画像が何頁目であるかを視認可能に表示する表示手段とを備える。
【０００８】
この構成によれば、読取手段によって、複数の原稿が読み取られ、記憶手段に読取手段により読み取られた複数の原稿画像が記憶され、印刷処理手段によって、記憶手段に記憶されている複数の原稿画像が記録紙に印刷される。そして、表示手段によって、印刷処理手段により印刷される複数の原稿画像のうち、現在印刷されている原稿画像が何頁目であるかが視認可能に表示される。
【０００９】
また、上記の画像形成装置において、前記表示手段は、前記記憶手段に記憶されている複数の原稿画像の各頁を表示し、前記印刷処理手段によって現在印刷されている頁の原稿画像を他の頁の原稿画像とは異なる態様で表示することが好ましい。
【００１０】
この構成によれば、表示手段によって、記憶手段に記憶されている複数の原稿画像の各頁が表示され、印刷処理手段により現在印刷されている頁の原稿画像が他の頁の原稿画像とは異なる態様で表示される。
【００１１】
また、上記の画像形成装置において、前記表示手段は、現在印刷されている頁の原稿画像の明度を他の頁の原稿画像の明度よりも高くして表示する、現在印刷されている頁の原稿画像を他の頁の原稿画像よりも拡大して表示する、現在印刷されている頁の原稿画像を他の頁の原稿画像と反転させて表示する、現在印刷されている頁の原稿画像の表示位置を他の頁の原稿画像の表示位置とは異なる位置に表示する、又は現在印刷されている頁の原稿画像を縁取りして表示することが好ましい。
【００１２】
この構成によれば、現在印刷されている頁の原稿画像の明度が他の頁の原稿画像の明度よりも高くして表示される。又は、現在印刷されている頁の原稿画像が他の頁の原稿画像よりも拡大して表示される。又は、現在印刷されている頁の原稿画像が他の頁の原稿画像と反転させて表示される。又は、現在印刷されている頁の原稿画像の表示位置が他の頁の原稿画像の表示位置とは異なる位置に表示される。又は、現在印刷されている頁の原稿画像が縁取りして表示される。
【００１３】
また、上記の画像形成装置において、前記記憶手段に記憶された複数の原稿画像をカラーで印刷するカラーモードと、前記記憶手段に記憶された複数の原稿画像をモノクロで印刷するモノクロモードとに切り替えるモード切替手段をさらに備え、前記モード切替手段によってカラーモードに切り替えられている場合、前記印刷処理手段は、前記記憶手段に記憶された複数の原稿画像をカラーで印刷し、前記表示手段は、前記記憶手段に記憶されている複数の原稿画像の各頁を概略的に表示し、前記印刷処理手段によって現在印刷されている頁の原稿画像をカラーで表示し、前記モード切替手段によってモノクロモードに切り替えられている場合、前記印刷処理手段は、前記記憶手段に記憶された複数の原稿画像をモノクロで印刷し、前記表示手段は、前記記憶手段に記憶されている複数の原稿画像の各頁を概略的に表示し、前記印刷処理手段によって現在印刷されている頁の原稿画像をモノクロで表示することが好ましい。
【００１４】
この構成によれば、モード切替手段によって、記憶手段に記憶された複数の原稿画像をカラーで印刷するカラーモードと、記憶手段に記憶された複数の原稿画像をモノクロで印刷するモノクロモードとに切り替えられる。そして、モード切替手段によりカラーモードに切り替えられている場合、印刷処理手段によって、記憶手段に記憶された複数の原稿画像がカラーで印刷され、表示手段によって、記憶手段に記憶されている複数の原稿画像の各頁が表示され、印刷処理手段により現在印刷されている頁の原稿画像がカラーで強調して表示される。また、モード切替手段によりモノクロモードに切り替えられている場合、印刷処理手段によって、記憶手段に記憶された複数の原稿画像がモノクロで印刷され、表示手段によって、記憶手段に記憶されている複数の原稿画像の各頁が表示され、印刷処理手段により現在印刷されている頁の原稿画像がモノクロで強調して表示される。
【００１５】
また、上記の画像形成装置において、前記表示手段の表示画面上に表示する原稿画像の所定の範囲を設定する範囲設定手段をさらに備え、前記表示手段は、前記記憶手段に記憶されている各原稿画像のうち前記範囲設定手段によって設定された所定の範囲の画像のみを表示し、前記印刷処理手段によって現在印刷されている頁の所定の範囲の画像を他の所定の範囲の画像とは異なる態様で表示することが好ましい。
【００１６】
この構成によれば、範囲設定手段によって、表示手段の表示画面上に表示する原稿画像の所定の範囲が設定され、表示手段によって、記憶手段に記憶されている各原稿画像のうち範囲設定手段により設定された所定の範囲の画像のみが表示され、印刷処理手段により現在印刷されている頁の所定の範囲の画像が他の所定の範囲の画像とは異なる態様で表示される。
【００１７】
また、上記の画像形成装置において、前記表示手段は、前記記憶手段に記憶されている複数の原稿画像を所定の頁数単位でグループ化した原稿群画像を表示し、前記印刷処理手段によって現在印刷されている頁の原稿画像を含む前記原稿群画像の各頁の原稿画像を表示し、前記印刷処理手段によって現在印刷されている頁の原稿画像を他の頁の原稿画像とは異なる態様で表示することが好ましい。
【００１８】
この構成によれば、表示手段によって、記憶手段に記憶されている複数の原稿画像を所定の頁数単位でグループ化した原稿群画像が表示され、印刷処理手段により現在印刷されている頁の原稿画像を含む原稿群画像の各頁の原稿画像が表示され、印刷処理手段によって現在印刷されている頁の原稿画像が他の頁の原稿画像とは異なる態様で表示される。
【発明の効果】
【００１９】
請求項１に記載の発明によれば、印刷される複数の原稿画像のうち、現在印刷されている原稿画像が何頁目であるかが視認可能に表示されるので、ユーザは、複数枚の原稿を印刷する際に現在原稿の何ページ目が印刷されているかを認識することができ、ユーザの操作性を向上させることができる。
【００２０】
請求項２に記載の発明によれば、現在印刷されている頁の原稿画像が、他の頁の原稿画像とは異なる態様で表示されるので、現在印刷されている頁の原稿画像が他の頁の原稿画像よりも強調して表示され、ユーザは、強調して表示される原稿画像を見ることによって、現在原稿の何ページ目が印刷されているかを認識することができる。
【００２１】
請求項３に記載の発明によれば、現在印刷されている頁の原稿画像の明度が他の頁の原稿画像の明度よりも高くして表示されるので、印刷中の原稿画像を他の原稿画像よりも強調して表示することができる。また、現在印刷されている頁の原稿画像が他の頁の原稿画像よりも拡大して表示されるので、印刷中の原稿画像を他の原稿画像よりも強調して表示することができる。また、現在印刷されている頁の原稿画像が他の頁の原稿画像と反転させて表示されるので、印刷中の原稿画像を他の原稿画像よりも強調して表示することができる。また、現在印刷されている頁の原稿画像の表示位置が他の頁の原稿画像の表示位置とは異なる位置に表示されるので、印刷中の原稿画像を他の原稿画像よりも強調して表示することができる。また、現在印刷されている頁の原稿画像が縁取りして表示されるので、印刷中の原稿画像を他の原稿画像よりも強調して表示することができる。
【００２２】
請求項４に記載の発明によれば、複数の原稿画像をカラーで印刷するカラーモードに切り替えられている場合、現在印刷されている頁の原稿画像がカラーで表示され、複数の原稿画像をモノクロで印刷するモノクロモードとに切り替えられている場合、現在印刷されている頁の原稿画像がモノクロで表示されるので、ユーザは印刷中の原稿がカラーで印刷されているのか、モノクロで印刷されているのかを容易に判別することができる。
【００２３】
請求項５に記載の発明によれば、表示画面上に表示する原稿画像の所定の範囲が設定され、各原稿画像のうち所定の範囲の画像のみが表示され、現在印刷されている頁の所定の範囲の画像が他の頁の所定の範囲の画像とは異なる態様で表示されるので、原稿画像の一部分が拡大して表示され、各ページの文章等のレイアウトをより視認し易くすることができる。
【００２４】
請求項６に記載の発明によれば、複数の原稿画像を所定の頁数単位でグループ化した原稿群画像が表示され、現在印刷されている頁の原稿画像を含む原稿群画像の各頁の原稿画像が表示され、現在印刷されている頁の原稿画像が他の頁の原稿画像とは異なる態様で表示されるので、全ての原稿画像を１頁ずつ表示画面に表示することができないほど原稿の枚数が多い場合であっても原稿画像を効率的に表示することができる。
【発明を実施するための最良の形態】
【００２５】
以下、本発明の一実施の形態による画像形成装置について図面を参照しながら説明する。
（第１の実施形態）
図１は、本発明の一実施形態に係る画像形成装置の一例である複合機の内部構成を概略的に示すブロック図である。また、図２は、図１に示す複合機が備える操作部の外部構成を示す図である。複合機１は、コピー機能、プリンタ機能、スキャナ機能及びファクシミリ機能等の機能を兼ね備えたものである。図１に示す複合機１は、制御部１００、原稿読取部４、原稿給送部５、操作部７、画像メモリ２、ＨＤＤ（ハードディスクドライブ）３及び印刷処理部６を備えて構成される。
【００２６】
操作部７は、操作キー７１，７２及び表示部７３を備えて構成される。図２に示すように、この操作部７には、ユーザが印刷実行指示を入力するためのスタートキー７１と、印刷部数等を入力するためのテンキー７２と、各種複写動作の操作ガイド情報等を表示し、これら各種設定入力用にタッチパネル機能を有する液晶ディスプレイ等からなる表示部７３と、表示部７３で設定された設定内容等をリセットするリセットキー７４と、実行中の印刷（画像形成）動作を停止させるためのストップキー７５と、コピー機能、プリンタ機能、スキャナ機能及びファクシミリ機能を切り換えるための機能切換キー７６が備えられている。
【００２７】
図１に戻って、原稿読取部４は、ＣＣＤ(Charge Coupled Device)センサ及び露光ランプ等からなるスキャナ部と、ガラス等の透明部材により構成された原稿台及び原稿読取スリットとを備える。スキャナ部は、駆動部によって移動可能に構成され、原稿台に載置された原稿を読み取るときは、原稿台に対向する位置で原稿面に沿って移動され、原稿画像を走査しつつ取得した画像データを後述する制御部１００へ出力する。また、原稿給送部５により給送された原稿を読み取るときは、スキャナ部が原稿読取スリットと対向する位置に移動され、原稿読取スリットを介して原稿給送部５による原稿の搬送動作と同期して原稿の画像を取得し、その画像データを後述する制御部１００へ出力する。
【００２８】
原稿給送部５は、原稿を載置するための原稿載置部と、画像読み取り済みの原稿を排出するための原稿排出部と、原稿載置部に載置された原稿を１枚ずつ繰り出して原稿読取スリットに対向する位置へ搬送し、原稿排出部へ排出するための給紙ローラ及び搬送ローラ等からなる原稿搬送機構とを備える。原稿搬送機構は、さらに原稿を表裏反転させて原稿読取スリットと対向する位置へ再搬送する用紙反転機構を備え、原稿の両面の画像を原稿読取スリットを介してスキャナ部から読み取り可能にしている。
【００２９】
複合機１は、それぞれサイズが異なる記録紙を収納する複数の給紙カセットから記録紙を１枚ずつ繰り出して印刷処理部６へ搬送する。
【００３０】
印刷処理部６は、画像メモリ２に記憶されている複数の原稿画像を記録紙に印刷する。印刷処理部６は、スキャナ部で取得された画像データに基づきレーザ光等を出力して感光体ドラムを露光し、感光体ドラム上にトナー像を形成する画像形成部６２と、感光体ドラム上のトナー像を記録紙に転写する転写部６３と、トナー像が転写された記録紙を加熱してトナー像を記録紙に定着させる定着部６４と、印刷処理部６内の用紙搬送路中に設けられた搬送ローラ等によって記録紙をスタックトレイ又は排出トレイまで搬送する用紙搬送装置６１とを備える。定着部６４は、トナー像が転写された印刷用紙を加熱及び加圧することによってトナー像を印刷用紙に定着させる。定着部６４によって画像が定着された記録紙は、搬送ローラからスタックトレイ又は排出トレイに排出される。
【００３１】
画像メモリ２は、原稿読取部４によって読み取られた原稿の画像データ、あるいは、図略のネットワークＩ／Ｆ部等を介して外部装置から送信されてきた画像データを一時的に記憶するメモリである。
【００３２】
ＨＤＤ３は、原稿読取部４によって読み取られた原稿の画像データ及び上記外部装置から送信されてきた画像データ、並びに当該画像データに設定されている出力形式等が記憶される記憶装置である。
【００３３】
制御部１００は、複合機１の制御プログラムを記憶するＲＯＭ（リードオンリメモリ）、一時的にデータを保管するＲＡＭ（ランダムアクセスメモリ）、及び制御プログラム等を上記ＲＯＭから読み出して実行するマイクロコンピュータ等からなり、操作部７等において入力された所定の指示情報や、本装置の各所に設けられた各種センサからの検出信号に応じて装置全体の制御を行うものである。制御部１００は、印刷制御部１０１及び表示制御部１０２を備えている。
【００３４】
印刷制御部１０１は、操作キー（スタートキー）７１によって印刷開始の指示が受け付けられた場合、原稿給送部５に対して原稿の読み取り位置への原稿の給送を開始させ、原稿読取部４によって読み取られた原稿画像データを画像メモリ２に記憶する。また、印刷制御部１０１は、画像メモリ２に記憶されている原稿画像データを読み出し、読み出した原稿画像データを記録紙に印刷するよう印刷処理部６を制御する。
【００３５】
表示制御部１０２は、印刷処理部６によって印刷される複数の原稿画像のうち、現在印刷されている原稿画像が何ページ目であるかを視認可能に表示するよう表示部７３を制御する。そして、表示部７３は、印刷処理部６によって印刷される複数の原稿画像のうち、現在印刷されている原稿画像が何ページ目であるかを視認可能に表示する。
【００３６】
なお、表示制御部１０２は、原稿読取部４によって読み取った原稿画像を表示用の原稿画像に変換し、変換した表示用の原稿画像データを表示部７３に出力する。この表示用の原稿画像とは、読み取った原稿画像を表示部７３の表示画面の大きさに応じて縮小した画像であり、原稿中の文章をライン状に表し、原稿の文章や画像等のレイアウト（配置位置）を概略的に表す画像である。
【００３７】
次に、第１の実施形態における複合機１の動作について説明する。図３は、図１に示す複合機１の動作について説明するためのフローチャートである。
【００３８】
まず、ステップＳ１において、操作部７は、ユーザによる印刷開始指示を受け付ける。ここで、ユーザは、印刷部数の設定、用紙サイズの設定、片面又は両面印刷の設定、及び倍率の設定等を表示部７３のタッチパネル機能又はテンキー７２を用いて行い、スタートキー７１を押下することによって印刷の開始を指示する。
【００３９】
次に、ステップＳ２において、原稿読取部４は、総ページ数がｍ枚である複数の原稿をページ単位で読み取る。なお、原稿読取部４は、読み取った複数の原稿のページ数をカウントしており、カウントされたページ数ｍは、制御部１００のＲＡＭに記憶される。
【００４０】
次に、ステップＳ３において、画像メモリ２は、原稿読取部４によって読み取られた複数の原稿画像をページ単位で記憶する。なお、原稿読取部４は、載置された全ての複数の原稿を読み取り、画像メモリ２は、原稿読取部４によって読み取られた全ての原稿画像をページ単位で記憶する。
【００４１】
次に、ステップＳ４において、表示制御部１０２は、画像メモリ２に記憶された原稿画像の各ページを表示部７３に表示するよう制御し、表示部７３は、原稿画像の各ページを表示する。
【００４２】
ここで、表示部７３の表示画面に表示される原稿画像について説明する。図４は、本実施形態において、表示部７３の表示画面に表示される原稿画像について説明するための図である。なお、図４は、５ページの原稿を１部だけ印刷する場合の例である。図４に示すように、表示部７３の表示画面の上部の状態表示領域７３１には複合機１の現在の状態が表示され、中央部の進行状況表示領域７３２には複数の原稿画像Ｇ１がページ単位で表示され、右下部の部数表示領域７３３には印刷部数が表示される。図４に示す状態表示領域７３１には、現在印刷中であることを示す「コピーしています」という文字が表示され、部数表示領域７３３には、現在印刷している原稿が全体の何部数目であるかが表示される。図４の例では、１部のみ印刷しているので、部数表示領域７３３には「１／１」と表示されており、ｘ部のうちの１部目が印刷されている場合には、「１／ｘ」と表示される。図４に示す進行状況表示領域７３２には、５ページ分の原稿画像Ｇ１が表示される。また、各ページの原稿画像Ｇ１の下方には、それぞれページ番号が表示される。
【００４３】
なお、原稿画像Ｇ１は、読み取った文章や画像等の内容を判読可能に表示することが好ましいが、表示部７３のサイズが小さい場合や解像度が低い場合は、判読可能に表示することが困難である。そこで、本実施形態では、図４に示すように原稿中の文章をライン状に表示することで、原稿の文章や画像等のレイアウト（配置位置）を概略的に表示している。このように、原稿の文章や画像等のレイアウトを概略的に表示したとしても、現在印刷中の原稿を充分に把握することができる。
【００４４】
図３に戻って、ステップＳ５において、印刷制御部１０１は、ページ番号ｎを１に設定する。なお、ページ番号ｎと原稿の総ページ数ｍとは制御部１００が備えるＲＡＭに記憶される。
【００４５】
次に、ステップＳ６において、印刷制御部１０１は、ページ番号ｎの原稿画像を画像メモリ２から読み出す。次に、ステップＳ７において、印刷制御部１０１は、画像メモリ２から読み出した原稿画像を印刷処理部６へ出力し、印刷処理部６は、原稿画像を記録紙に印刷する。
【００４６】
次に、ステップＳ８において、表示制御部１０２は、進行状況表示領域７３２に表示されている原稿画像のうち、現在印刷中であるページ番号ｎに対応する原稿画像を強調表示する。例えば、図４では、２ページ目の原稿が印刷されているので、進行状況表示領域７３２における２ページ目の原稿画像Ｇ１が強調表示されているが、この場合、２ページ目の原稿画像Ｇ１の明度を他のページ（１，３〜５ページ）の原稿画像Ｇ１の明度よりも高くする（ハイライト表示）ことによって、現在印刷中である２ページ目の原稿画像Ｇ１を強調して表示している。
【００４７】
なお、本実施形態では、現在印刷されているページの原稿画像の明度を他のページの原稿画像の明度よりも高くすることによって、現在印刷中の原稿画像を強調して表示しているが、本発明は特にこれに限定されず、現在印刷されているページの原稿画像を他のページの原稿画像よりも拡大して表示してもよい。また、現在印刷されているページの原稿画像を他のページの原稿画像と反転させて表示してもよく、現在印刷されているページの原稿画像の表示位置を他のページの原稿画像の表示位置とは異なる位置に表示してもよい。また、現在印刷されているページの原稿画像を縁取りして表示してもよく、現在印刷されているページの原稿画像を他のページの原稿画像よりも浮き立たせて表示してもよい。さらに、現在印刷されているページの原稿画像のみを点滅させて表示してもよい。さらにまた、表示部７３がカラー表示可能である場合、現在印刷されているページの原稿画像の色を他のページの原稿画像の色と異なるように表示してもよい。いずれの場合であっても、印刷中の原稿画像を他の原稿画像よりも強調して表示することができる。
【００４８】
図３に戻って、ステップＳ９において、印刷制御部１０１は、ＲＡＭからページ番号ｎと総ページ数ｍとを読み出し、ページ番号ｎが総ページ数ｍに達したか否かを判断する。ここで、ページ番号ｎが総ページ数ｍに達したと判断された場合（ステップＳ９でＹＥＳ）、ステップＳ１１に処理を移行し、ページ番号ｎが総ページ数ｍに達していないと判断された場合（ステップＳ９でＮＯ）、ステップＳ１０に処理を移行する。
【００４９】
ページ番号ｎが総ページ数ｍに達していないと判断された場合、ステップＳ１０において、印刷制御部１０１は、ページ番号ｎを１だけインクリメントし、ステップＳ６に処理を戻す。
【００５０】
一方、ページ番号ｎが総ページ数ｍに達したと判断された場合、ステップＳ１１において、印刷制御部１０１は、操作部７によって設定された全ての部数について印刷が終了したか否かが判断される。ここで、全ての部数について印刷が終了したと判断された場合（ステップＳ１１でＹＥＳ）、処理を終了する。全ての部数について印刷が終了していないと判断された場合（ステップＳ１１でＮＯ）、ステップＳ５に処理を戻す。
【００５１】
このように、原稿読取部４によって、複数の原稿が読み取られ、画像メモリ２に原稿読取部４により読み取られた複数の原稿画像が記憶され、印刷処理部６によって、画像メモリ２に記憶された複数の原稿画像が記録紙に印刷される。そして、表示制御部１０２によって、印刷処理部６により印刷される複数の原稿画像のうち、現在印刷されている原稿画像が何ページ目であるかが視認可能に表示される。
【００５２】
したがって、印刷される複数の原稿画像のうち、現在印刷されている原稿画像が何ページ目であるかが視認可能に表示されるので、ユーザは、複数枚の原稿を印刷する際に現在原稿の何ページ目が印刷されているかを認識することができ、ユーザの操作性を向上させることができる。
【００５３】
また、表示制御部１０２によって、画像メモリ２に記憶されている複数の原稿画像の各ページが表示され、印刷処理部６により現在印刷されているページの原稿画像が他のページの原稿画像とは異なる態様で表示される。
【００５４】
したがって、現在印刷されているページの原稿画像が、他のページの原稿画像とは異なる態様で表示されるので、現在印刷されているページの原稿画像が他のページの原稿画像よりも強調して表示され、ユーザは、強調して表示される原稿画像を見ることによって、現在原稿の何ページ目が印刷されているかを認識することができる。
【００５５】
なお、本実施形態では、図４に示すように、印刷する原稿のページ数が５ページであるため、表示部７３の表示画面上に全ての原稿画像を表示することが可能である。しかしながら、印刷する原稿によっては、ページ数が５ページを超える場合もあり、必ずしも全ての原稿画像を表示することができるとは限らない。そこで、表示部７３は、画像メモリ２に記憶されている複数の原稿画像を所定のページ数単位でグループ化した原稿群画像を表示し、印刷処理部６によって現在印刷されているページの原稿画像を含む原稿群画像の各ページの原稿画像を概略的に表示する。
【００５６】
図５は、複数の原稿画像をグループ化して表示する場合における表示画面の一例を示す図である。図５は、２０ページの原稿を５ページずつにグループ化し、７ページ目を印刷している場合における表示画面を示している。図５に示す進行状況表示領域７３２には、５ページ分の原稿画像Ｇ１が表示され、その下方に５ページずつにグループ化した原稿群画像Ｇ２が表示される。原稿群画像Ｇ２は、複数の原稿を重ね合わせた画像とすることにより、複数の原稿画像がグループ化されていることを表している。原稿群画像Ｇ２は、予めＨＤＤ３に記憶されており、印刷する原稿数に応じた原稿群画像Ｇ２が表示される。図５では、４つの原稿群画像Ｇ２が表示され、それぞれの原稿群画像Ｇ２の下方にはページ番号が「１〜５」、「６〜１０」、「１１〜１５」、「１６〜２０」と表示される。また、現在印刷中の原稿画像Ｇ１を含む原稿群画像Ｇ２は、他の原稿群画像Ｇ２とは異なる態様で表示される。図５では、現在７ページ目の原稿画像Ｇ１が印刷されているので、「６〜１０」ページに対応する原稿群画像Ｇ２が破線で表示され、他の原稿群画像Ｇ２が実線で表示されている。なお、現在印刷中の原稿画像Ｇ１を含む原稿群画像Ｇ２の表示態様は、上記破線で示す以外に様々な態様が考えられ、上述の原稿画像Ｇ１の強調表示と同様の態様でもよい。
【００５７】
このように、表示制御部１０２によって、画像メモリ２に記憶されている複数の原稿画像を所定のページ数単位でグループ化した原稿群画像Ｇ２が表示され、印刷処理部６により現在印刷されているページの原稿画像Ｇ１を含む原稿群画像Ｇ２の各ページの原稿画像Ｇ１が表示され、印刷処理部６によって現在印刷されているページの原稿画像Ｇ１が他のページの原稿画像Ｇ１とは異なる態様で表示される。
【００５８】
したがって、複数の原稿画像を所定のページ数単位でグループ化した原稿群画像Ｇ２が表示され、現在印刷されているページの原稿画像Ｇ１を含む原稿群画像Ｇ２の各ページの原稿画像Ｇ１が表示され、現在印刷されているページの原稿画像Ｇ１が他のページの原稿画像Ｇ１とは異なる態様で表示されるので、全ての原稿画像Ｇ１を１ページずつ表示画面に表示することができないほど原稿の枚数が多い場合であっても原稿画像を効率的に表示することができる。
【００５９】
（第２の実施形態）
次に、本発明に係る第２の実施形態について説明する。第１の実施形態では、原稿読取部４によって読み取られた原稿画像を表示部７３に表示しているが、表示部７３の大きさや解像度によっては、原稿画像の文章のレイアウトの視認が困難となる場合がある。そこで、第２の実施形態では、原稿読取部４によって読み取られた原稿画像の所定の範囲を表示部７３に表示することで、各ページの文章等のレイアウトをより視認し易くする。また、複合機によっては、カラーモードによる印刷とモノクロモードによる印刷とを切り替えることが可能な場合がある。そこで、第２の実施形態では、現在印刷している原稿がどちらのモードであるかを視認可能にする。
【００６０】
図６は、第２の実施形態における複合機１の概略構成を示すブロック図である。図６に示す複合機１は、制御部１００、原稿読取部４、原稿給送部５、操作部７、画像メモリ２、ＨＤＤ３及び印刷処理部６を備えて構成される。なお、図６に示す複合機１において、図１の構成と同じものについては、同じ符号を付し、詳細な説明を省略する。
【００６１】
第２の実施形態における制御部１００は、印刷制御部１０１、表示制御部１０２、原稿範囲設定部１０３及びモード切替部１０４を備えている。
【００６２】
原稿範囲設定部１０３は、表示部７３の表示画面上に表示する原稿画像の範囲を設定する。操作部７は、画像メモリ２に記憶されている原稿画像において、表示部７３の表示画面上に表示する所定の範囲の指定を受け付け、原稿範囲設定部１０３は、操作部７によって受け付けられた原稿画像における所定の範囲を設定する。表示制御部１０２は、画像メモリ２に記憶されている複数の原稿画像の各ページのうち、原稿範囲設定部１０３によって設定された範囲のみを概略的に表示し、印刷処理部６によって現在印刷されているページの原稿画像を他のページの原稿画像とは異なる態様で表示する。
【００６３】
モード切替部１０４は、画像メモリ２に記憶された複数の原稿画像をカラーで印刷するカラーモードと、画像メモリ２に記憶された複数の原稿画像をモノクロ（白黒）で印刷するモノクロモードとに切り替える。操作部７は、カラーモードで印刷するか、モノクロモードで印刷するかを受け付け、モード切替部１０４は、操作部７によって受け付けられたモードに切り替える。モード切替部１０４によってカラーモードに切り替えられている場合、印刷処理部６は、画像メモリ２に記憶された複数の原稿画像をカラーで印刷し、表示制御部１０２は、画像メモリ２に記憶されている複数の原稿画像の各ページを概略的に表示し、印刷処理部６によって現在印刷されているページの原稿画像をカラーで強調して表示する。モード切替部１０４によってモノクロモードに切り替えられている場合、印刷処理部６は、画像メモリ２に記憶された複数の原稿画像をモノクロで印刷し、表示制御部１０２は、画像メモリ２に記憶されている複数の原稿画像の各ページを概略的に表示し、印刷処理部６によって現在印刷されているページの原稿画像をモノクロで強調して表示する。
【００６４】
次に、第２の実施形態における複合機１の動作について説明する。図７は、図６に示す複合機１の動作について説明するためのフローチャートである。
【００６５】
まず、ステップＳ２１において、原稿範囲設定部１０３は、画像メモリ２に記憶されている原稿画像において、表示部７３の表示画面上に表示する所定の範囲を設定する。例えば、操作部７は、表示部７３に原稿画像を表示し、表示された原稿画像上に選択可能な複数の選択範囲を表示する。ユーザは、この複数の選択範囲の中から所望する選択範囲を指定する。そして、原稿範囲設定部１０３は、操作部７によって受け付けられた原稿画像上の所定の選択範囲を設定する。
【００６６】
次に、ステップＳ２２において、モード切替部１０４は、カラーで印刷するカラーモードと、モノクロで印刷するモノクロモードとに切り替える。例えば、操作部７は、カラーモードで印刷するか、モノクロモードで印刷するかを受け付ける。そして、モード切替部１０４は、操作部７によってカラーモードが受け付けられた場合、カラーモードに切り替え、操作部７によってモノクロモードが受け付けられた場合、モノクロモードに切り替える。なお、ステップＳ２１の処理とステップＳ２２の処理とは、どちらを先に行ってもよい。
【００６７】
ステップＳ２３〜Ｓ２５までの処理は、図３におけるステップＳ１〜Ｓ３までの処理と同じであるので説明を省略する。
【００６８】
ステップＳ２６において、表示制御部１０２は、画像メモリ２に記憶された原稿画像の各ページの所定の範囲を表示部７３に表示するよう制御し、表示部７３は、原稿画像の各ページの所定の範囲を表示する。
【００６９】
ここで、表示部７３の表示画面に表示される原稿画像の所定の範囲について説明する。図８は、本実施形態において、表示部７３の表示画面に表示される原稿画像の所定の範囲について説明するための図であり、図８（ａ）は、７ページ目の原稿画像を示す図であり、図８（ｂ）は、表示部７３に表示される表示画面の一例を示す図である。なお、図８（ｂ）は、２０ページの原稿を１部だけ印刷する場合の例である。
【００７０】
図８（ａ）に示すように、原稿範囲設定部１０３によって、原稿画像Ｇ１の左上部の範囲Ｈが設定された場合、画像メモリ２から範囲Ｈに対応する部分の原稿画像が読み出され、図８（ｂ）に示す進行状況表示領域７３２には、読み出された原稿画像Ｇ１’が表示される。このように、表示部７３に表示される原稿画像Ｇ１’は、原稿読取部４によって読み取った原稿画像Ｇ１全体ではなく、原稿範囲設定部１０３によって設定された原稿画像Ｇ１上の所定の範囲Ｈである。そのため、原稿画像Ｇ１の一部分が拡大して表示されることとなるので、ユーザは各ページの文章等の内容をより視認し易くなる。
【００７１】
図７に戻って、ステップＳ２７，Ｓ２８の処理は、図３に示すステップＳ５，６の処理と同じであるので説明を省略する。
【００７２】
次に、ステップＳ２９において、印刷制御部１０１は、画像メモリ２から読み出した原稿画像を印刷処理部６へ出力し、印刷処理部６は、原稿画像を記録紙に印刷する。ここで、モード切替部１０４によってカラーモードに切り替えられている場合、印刷処理部６は、画像メモリ２に記憶された複数の原稿画像をカラーで印刷する。モード切替部１０４によってモノクロモードに切り替えられている場合、印刷処理部６は、画像メモリ２に記憶された複数の原稿画像をモノクロで印刷する。
【００７３】
次に、ステップＳ３０において、表示制御部１０２は、モード切替部１０４によってカラーモードに切り替えられているか否かを判断する。ここで、カラーモードに切り替えられていると判断された場合（ステップＳ３０でＹＥＳ）、ステップＳ３１の処理に移行し、カラーモードに切り替えられていない、すなわち、モノクロモードに切り替えられていると判断された場合（ステップＳ３０でＮＯ）、ステップＳ３２の処理に移行する。
【００７４】
カラーモードに切り替えられていると判断された場合、ステップＳ３１において、表示制御部１０２は、進行状況表示領域７３２に表示されている原稿画像のうち、現在印刷中であるページ番号ｎに対応する原稿画像をカラーで強調表示する。例えば、図８（ｂ）では、７ページ目の原稿が印刷されているので、進行状況表示領域７３２における７ページ目の原稿画像Ｇ１’が強調表示されているが、この場合、７ページ目の原稿画像Ｇ１’の明度を他のページ（６，８〜１０ページ）の原稿画像Ｇ１’の明度よりも高くするとともに、カラーで表示することによって現在印刷中である７ページ目の原稿画像を強調して表示している。
【００７５】
一方、カラーモードに切り替えられていないと判断された場合、ステップＳ３２において、表示制御部１０２は、進行状況表示領域７３２に表示されている原稿画像のうち、現在印刷中であるページ番号ｎに対応する原稿画像をモノクロで強調表示する。例えば、図８（ｂ）では、７ページ目の原稿が印刷されているので、進行状況表示領域７３２における７ページ目の原稿画像Ｇ１’が強調表示されているが、この場合、７ページ目の原稿画像Ｇ１’の明度を他のページ（６，８〜１０ページ）の原稿画像Ｇ１’の明度よりも高くするとともに、モノクロで表示することによって現在印刷中である７ページ目の原稿画像を強調して表示している。
【００７６】
ステップＳ３３〜Ｓ３５の処理は、図３に示すステップＳ９〜Ｓ１１の処理と同じであるので説明を省略する。
【００７７】
なお、本実施形態では、カラーモードとモノクロモードとを予め設定しておき、設定されたモードに切り替えた状態で全ての原稿を印刷しているが、本発明は特にこれに限定されず、図７に示すステップＳ２２でモードを切り替えるのではなく、ステップＳ２８の処理とステップＳ２９の処理との間において、読み取った原稿画像がカラーであるかモノクロであるかをページ単位で判別し、印刷するページ単位でカラーモードとモノクロモードとを切り替えてもよい。
【００７８】
このように、原稿範囲設定部１０３によって、表示部７３の表示画面上に表示する原稿画像の所定の範囲が設定され、表示制御部１０２によって、画像メモリ２に記憶されている各ページの原稿画像のうち原稿範囲設定部１０３により設定された所定の範囲の画像のみが表示され、印刷処理部６により現在印刷されているページの所定の範囲の画像が他のページの所定の範囲の画像とは異なる態様で表示される。
【００７９】
したがって、表示画面上に表示する原稿画像の所定の範囲が設定され、各原稿画像のうち所定の範囲の画像のみが表示され、現在印刷されているページの所定の範囲の画像が他のページの所定の範囲の画像とは異なる態様で表示されるので、原稿画像の一部分が拡大して表示され、各ページの文章等のレイアウトをより視認し易くすることができる。
【００８０】
また、モード切替部１０４によって、画像メモリ２に記憶された複数の原稿画像をカラーで印刷するカラーモードと、画像メモリ２に記憶された複数の原稿画像をモノクロで印刷するモノクロモードとに切り替えられる。そして、モード切替部１０４によりカラーモードに切り替えられている場合、印刷処理部６によって、画像メモリ２に記憶された複数の原稿画像がカラーで印刷され、表示制御部１０２によって、画像メモリ２に記憶されている複数の原稿画像の各ページが表示され、印刷処理部６により現在印刷されているページの原稿画像がカラーで強調して表示される。また、モード切替部１０４によりモノクロモードに切り替えられている場合、印刷処理部６によって、画像メモリ２に記憶された複数の原稿画像がモノクロで印刷され、表示制御部１０２によって、画像メモリ２に記憶されている複数の原稿画像の各ページが表示され、印刷処理部６により現在印刷されているページの原稿画像がモノクロで強調して表示される。
【００８１】
したがって、複数の原稿画像をカラーで印刷するカラーモードに切り替えられている場合、現在印刷されているページの原稿画像がカラーで強調して表示され、複数の原稿画像をモノクロで印刷するモノクロモードとに切り替えられている場合、現在印刷されているページの原稿画像がモノクロで強調して表示されるので、ユーザは印刷中の原稿がカラーで印刷されているのか、モノクロで印刷されているのかを容易に判別することができる。
【００８２】
なお、上記第１の実施形態及び第２の実施形態では、原稿読取部４によって読み取られた原稿画像を表示部７３に表示しているが、本発明は特にこれに限定されず、画像メモリ２に記憶されている原稿画像のページ番号を表す画像のみを表示部７３に表示し、印刷処理部６によって現在印刷中のページの番号を表す画像のみを他のページの番号を表す画像とは異なる態様で表示してもよい。
【００８３】
図９は、ページ番号のみを表示する場合における表示画面の一例を示す図である。図９に示すように、進行状況表示領域７３２には、画像メモリ２に記憶された原稿画像のページ数のみを表すページ番号画像Ｂ１が表示され、現在印刷中である２ページ目のページ番号画像Ｂ１を他のページ番号画像Ｂ１とは異なる態様で表示している。
【００８４】
また、本実施形態における画像形成装置では、一旦全ての原稿を読み取り、読み取った全ての原稿画像を画像メモリ２に記憶してから印刷を開始しているので、原稿画像を画像メモリ２に記憶した時点で全ての原稿画像を表示することが可能である。しかしながら、画像形成装置の種類によっては、１ページ毎に原稿を読み取り、読み取った原稿画像を画像メモリ２に記憶してから１ページ毎に印刷を行うものがある。この場合、複数の原稿画像を全て表示することはできない。そこで、１ページ分の原稿画像が画像メモリ２に記憶される毎に原稿画像を強調して表示してもよい。
【００８５】
図１０は、原稿画像を順次強調して表示する場合における表示画面の一例を示す図であり、図１０（ａ）は、１ページ目を印刷する場合における表示画面の一例を示す図であり、図１０（ｂ）は、２ページ目を印刷する場合における表示画面の一例を示す図であり、図１０（ｃ）は、３ページ目を印刷する場合における表示画面の一例を示す図である。
【００８６】
まず原稿読取部４によって１ページ目の原稿が読み取られ、読み取られた１ページ目の原稿画像が画像メモリ２に記憶され、記憶された１ページ目の原稿画像が読み出され、読み出された１ページ目の原稿画像Ｇ１が表示部７３に表示される。このとき、図１０（ａ）に示すように、表示制御部１０２は、１ページ目の原稿画像Ｇ１を強調して表示する。
【００８７】
次に、原稿読取部４によって２ページ目の原稿が読み取られ、読み取られた２ページ目の原稿画像が画像メモリ２に記憶され、記憶された２ページ目の原稿画像が読み出され、読み出された２ページ目の原稿画像Ｇ１が表示部７３に表示される。このとき、図１０（ｂ）に示すように、表示制御部１０２は、２ページ目の原稿画像Ｇ１を１ページ目の原稿画像Ｇ１よりも強調して表示する。
【００８８】
同様に、原稿読取部４によって３ページ目の原稿が読み取られ、読み取られた３ページ目の原稿画像が画像メモリ２に記憶され、記憶された３ページ目の原稿画像が読み出され、読み出された３ページ目の原稿画像Ｇ１が表示部７３に表示される。このとき、図１０（ｃ）に示すように、表示制御部１０２は、３ページ目の原稿画像Ｇ１を１ページ目及び２ページ目の原稿画像Ｇ１よりも強調して表示する。以下、読み取られる原稿の枚数だけ、原稿画像の表示が行われる。
【００８９】
このように、原稿を一括して読み取る画像形成装置ではなく、原稿を１ページ毎に読み取る画像形成装置であっても、ユーザは、現在何ページを印刷しているかを容易に認識することができる。なお、図１０では、原稿読取部４によって読み取られた原稿画像を順次表示しているが、本発明は特にこれに限定されず、ページ番号のみを表すページ番号画像を順次表示してもよい。
【００９０】
さらに、本実施形態では、原稿画像又はページ番号画像を表示し、現在印刷中の原稿画像又はページ番号画像を強調して表示しているが、本発明は特にこれに限定されず、総ページ数と現在印刷中のページ番号とを表示することによって、ユーザに対して印刷の進行状況（現在何ページ目が印刷されているか）を報知してもよい。
【００９１】
図１１は、原稿の総ページ数に対する現在印刷中のページ番号を表示する場合における表示画面の一例を示す図である。図１１は、総ページ数が１０ページの原稿を１部だけ印刷する場合の例である。図１１の例では、３ページ目の原稿が印刷中であるので、進行状況表示領域７３２には、原稿の総ページ数に対する現在印刷中のページ番号が「現在３／１０ページ目」と表示されている。
【００９２】
このように、原稿画像又はページ番号画像を表示するのではなく、原稿の総ページ数に対する現在印刷中のページ番号を表示することによっても、ユーザは、現在原稿の何ページ目が印刷されているかを認識することができる。
【００９３】
また、本実施形態における画像形成装置は、コピー機能、プリンタ機能、スキャナ機能及びファクシミリ機能等の機能を兼ね備える複合機として説明しているが、本発明は特にこれに限定されず、コピー機能、プリンタ機能、スキャナ機能及びファクシミリ機能のいずれか一つの機能のみを備える画像形成装置であってもよい。要は、表示装置を備えており、現在印刷されている原稿画像が何ページ目であるかを視認可能に表示するようにした画像形成装置であればよい。
【図面の簡単な説明】
【００９４】
【図１】本発明の一実施形態に係る画像形成装置の一例である複合機の内部構成を概略的に示すブロック図である。
【図２】図１に示す複合機が備える操作部の外部構成を示す図である。
【図３】図１に示す複合機の動作について説明するためのフローチャートである。
【図４】本実施形態において、表示部の表示画面に表示される原稿画像について説明するための図である。
【図５】複数の原稿画像をグループ化して表示する場合における表示画面の一例を示す図である。
【図６】第２の実施形態における複合機の概略構成を示すブロック図である。
【図７】図６に示す複合機の動作について説明するためのフローチャートである。
【図８】本実施形態において、表示部の表示画面に表示される原稿画像の所定の範囲について説明するための図である。
【図９】ページ番号のみを表示する場合における表示画面の一例を示す図である。
【図１０】原稿画像を順次強調して表示する場合における表示画面の一例を示す図である。
【図１１】原稿の総ページ数に対する現在印刷中のページ番号を表示する場合における表示画面の一例を示す図である。
【符号の説明】
【００９５】
１    複合機
２    画像メモリ
３    ＨＤＤ
４    原稿読取部
５    原稿給送部
６    印刷処理部
７    操作部
６１    用紙搬送装置
６２    画像形成部
６３    転写部
６４    定着部
７１，７２    操作キー
７３    表示部
１００    制御部
１０１    印刷制御部
１０２    表示制御部
１０３    原稿範囲設定部
１０４    モード切替部
【図１】
2006109347.tif 000003
【図２】
2006109347.tif 000004
【図３】
2006109347.tif 000005
【図４】
2006109347.tif 000006
【図５】
2006109347.tif 000007
【図６】
2006109347.tif 000008
【図７】
2006109347.tif 000009
【図８】
2006109347.tif 000010
【図９】
2006109347.tif 000011
【図１０】
2006109347.tif 000012
【図１１】
2006109347.tif 000013